(57)【要約】【課題】装飾部材２３の配置の自由度を高めること。【解決手段】遊技球が入賞口４１に入球した場合には排出樋３８内に進入する。この遊技球が排出樋３８内に進入した場合にはレール面４５に沿って転動し、排出口４９から排出される。このレール面４５は遊技板９の厚み内に納められたものである。従って、排出樋３８の遊技板９に対する後方への出張り量が抑えられるので、入賞口４１が前から見て装飾部材２３の動作領域内に重ねられているにも拘らず装飾部材２３の配置の自由度が高まる。【選択図】図４
2015144711.tif 000002
【特許請求の範囲】
【請求項１】
前面に沿って遊技球が転動可能なものであって、透光性を有すると共に貫通孔が形成された遊技板と、
前記遊技板の前面に対して前へ突出するものであって、前記遊技板の前面に沿って転動する遊技球が入球可能な入球口と、
前記遊技板の貫通孔内に挿入されたものであって、遊技球が前記入球口を通して進入可能な球排出ケースと、
前記球排出ケース内に設けられ、前記球排出ケース内に進入した遊技球を前記遊技板に沿う方向へ転動させるものであって一部または全部が前記遊技板の厚み内に納められた転動面と、
前記球排出ケースに設けられ、前記球排出ケースの転動面に沿って転動する遊技球を前記球排出ケースの外部に排出する排出口と、
前記遊技板の後方に設けられ、前から前記遊技板を通して視認可能な可動部材を備え、
前記入球口は、前から見て前記可動部材の動作領域に重なり、
前記排出口は、前から見て前記可動部材の動作領域から外れていることを特徴とするパチンコ遊技機。
【発明の詳細な説明】
【技術分野】
【０００１】
本発明は遊技板の前面に沿って転動する遊技球が入球可能な入球口を備えたパチンコ遊技機に関する。
【背景技術】
【０００２】
パチンコ遊技機には入球口および排出樋を備えたものがある。入球口は遊技板の前面に対して前へ突出するものであり、遊技板の前面に沿って転動する遊技球が入球可能なものである。排出樋は遊技板の後面に対して後へ突出するものである。この排出樋は入球口の後方に配置されたものであり、遊技球が入球口に入球した場合には排出樋を通して排出される。
【先行技術文献】
【特許文献】
【０００３】
【特許文献１】特開２０１０−１１９６７２号公報
【発明の概要】
【発明が解決しようとする課題】
【０００４】
上記パチンコ遊技機には透明な遊技板の後方に可動部材を配置したものがある。この可動部材は前から遊技板を通して視認可能にされたものであり、可動部材の動作領域内に前から見て入球口が重ねて配置されている場合には可動部材を排出樋の後方に配置することで排出樋を逃げる必要がある。
【課題を解決するための手段】
【０００５】
本発明のパチンコ遊技機は次の［１］遊技板〜［６］可動部材を備えたものである。
［１］遊技板は前面に沿って遊技球が転動可能なものである。この遊技板は透光性を有するものであり、遊技板には貫通孔が形成されている。図４の符号９は遊技板に相当し、図４の符号３１は貫通孔に相当する。
［２］入球口は遊技板の前面に対して前へ突出するものであり、遊技板の前面に沿って転動する遊技球が入球可能なものである。この入球口は前から見て可動部材（［６］参照）の動作領域に重なるものであり、図３の入賞口４１は入球口に相当する。
［３］球排出ケースは遊技板の貫通孔内に挿入されたものであり、遊技球が入球口を通して進入可能なものである。図４の排出樋３８は球排出ケースに相当する。
［４］転動面は球排出ケース内に設けられたものである。この転動面は球排出ケース内に進入した遊技球を遊技板に沿う方向へ転動させるものであり、一部または全部が遊技板の厚み内に納められたものである。図４のレール面４５は転動面に相当する。
［５］排出口は球排出ケースに設けられたものであり、球排出ケースの転動面に沿って転動する遊技球を球排出ケースの外部に排出するものである。この排出口は前から見て可動部材（［６］参照）の動作領域から外れるものであり、図４の符号４９は排出口に相当する。
［６］可動部材は遊技板の後方に設けられたものであり、前から遊技板を通して視認可能にされている。図３の装飾部材２３は可動部材に相当し、図３の符号Ｅは動作領域に相当する。
【発明の効果】
【０００６】
遊技球が入球口に入球した場合には球排出ケース内に進入する。この遊技球が球排出ケース内に進入した場合には球排出ケースの転動面に沿って遊技板に沿う方向へ転動し、球排出ケースの排出口から球排出ケースの外部に排出される。この転動面は一部または全部が遊技板の厚み内に納められたものであり、遊技板の厚さを利用して遊技球の転動スペースが確保されている。従って、球排出ケースの遊技板に対する後への出張り量が小さく抑えられるので、入球口が前から見て可動部材の動作領域内に重ねられているにも拘らず可動部材の配置の自由度が高まる。
【図面の簡単な説明】
【０００７】
【図１】パチンコ遊技機の外観を示す図
【図２】遊技板を示す図
【図３】入賞口ユニットを示す図
【図４】図３のＸ線に沿う断面図
【発明を実施するための形態】
【実施例１】
【０００８】
パチンコホールの台島には、図１に示すように、外枠１が設置されている。この外枠１は前面および後面が開口する縦長な四角筒状をなすものであり、外枠１には内枠２が装着されている。この内枠２は前面および後面が開口する縦長な四角筒状をなすものであり、内枠２の前端部は外枠１の前端面に対して前へ突出し、内枠２のうち前端部を除いた残りの部分は外枠１内に収納されている。この内枠２の下端部には下皿板３が固定されている。この下皿板３は内枠２の前端面に対して前へ突出するものであり、下皿板３には下皿４および発射ハンドル５が装着されている。
【０００９】
内枠２には、図１に示すように、扉枠６が装着されている。この扉枠６は内枠２の前端面に対して前へ突出するものであり、下皿板３の上側に配置されている。この扉枠６は開口部を有する枠状をなすものであり、扉枠６には扉枠６の開口部を塞ぐ透明な窓７が固定されている。この扉枠６の下端部には上皿８が固定されている。この上皿８は遊技球を貯留するものであり、発射ハンドル５が操作された状態では上皿８内の遊技球が弾き出される。
【００１０】
内枠２には、図２に示すように、遊技板９が支持されている。この遊技板９は扉枠６の後方に配置されたものであり、扉枠６の窓７は遊技板９を前から視識可能に覆っている。この遊技板９は透明な合成樹脂を材料とする透光性を有するものであり、遊技板９の前面には外レール１０と内レール１１と球止めゴム１２が固定されている。この遊技板９の前面には発射通路１３および遊技領域１４が形成されている。発射通路１３は外レール１０および内レール１１間の円弧状の通路であり、遊技領域１４は外レール１０と内レール１１と球止めゴム１２で囲まれた領域のうち発射通路１３を除く残りの円形状の領域であり、上皿８内の遊技球が弾き出された場合には発射通路１３を通して遊技領域１４内に放出される。この遊技領域１４内には複数の障害釘が固定されており、発射通路１３から遊技領域１４内に放出された遊技球は障害釘に当りながら遊技領域１４内を落下する。
【００１１】
遊技板９には、図２に示すように、始動口１５が固定されている。この始動口１５は遊技板９の前面に対して前へ突出するものであり、遊技領域１４内に配置されている。この始動口１５は遊技球が上面から入賞可能なポケット状をなすものであり、遊技球が始動口１５内に入賞した場合には大当りおよび外れのいずれであるかが判定される。
【００１２】
遊技板９には、図２に示すように、表示台板１６が固定されており、表示台板１６には図柄表示器１７が固定されている。この図柄表示器１７はカラー液晶表示器からなるものであり、遊技球が始動口１５内に入賞したことに応じて大当りおよび外れのいずれであるかが判定された場合には図柄表示器１７に図柄遊技の映像が表示開始される。この図柄遊技の映像は図柄要素を横３列に変動表示した後に停止表示するものであり、各列の図柄要素の変動表示は図柄要素の種類を（１）（２）（３）（４）（１）・・・の循環的な一定順序で変化させることで行われ、各列の図柄要素の停止表示は図柄要素の種類の変化を（１）〜（４）のいずれか１つで停止させることで行われる。
【００１３】
３列の図柄要素は１番目が左列で２番目が右列で３番目が中列の順に停止表示されるものであり、３列の図柄要素が停止表示された場合には大当りの組合せと外れリーチの組合せと完全外れの組合せのいずれかとなる。大当りの組合せは３列の図柄要素が相互に同一な組合せであり、大当りと判定された場合には３列の図柄要素が大当りの組合せとなる。外れリーチの組合せは左列の図柄要素および右列の図柄要素が相互に同一で中列の図柄要素が左列の図柄要素および右列の図柄要素のそれぞれと異なる組合せであり、完全外れの組合せは左列の図柄要素および右列の図柄要素が相互に異なる組合せであり、外れと判定された場合には３列の図柄要素が外れリーチの組合せまたは完全外れの組合せとなる。
【００１４】
遊技板９には、図２に示すように、遊技領域１４内に位置して特別入賞口１８が固定されている。この特別入賞口１８は遊技球が前面から入賞可能な箱状をなすものであり、特別入賞口１８には扉１９が軸２０を中心に回転可能に装着されている。この扉１９は垂直な閉鎖状態となることで特別入賞口１８の前面を遊技球が入賞不能に閉鎖するものであり、軸２０を中心に前方へ水平に倒れた開放状態に回転することで特別入賞口１８の前面を遊技球が入賞可能に開放する。
【００１５】
図柄表示器１７に図柄遊技の映像で３列の図柄要素が大当りの組合せで停止表示された場合には大当りラウンドが開始される。この大当りラウンドは特別入賞口１８を開放状態とするものであり、特別入賞口１８内に限度個数の遊技球が入賞した場合または特別入賞口１８の開放時間が限度時間に到達した場合に特別入賞口１８が閉鎖状態となることで終了する。この大当りラウンドは一定回数だけ繰返されるものであり、一定回数の大当りラウンドの繰返しを大当り遊技と称する。
【００１６】
遊技板９の後方には、図２に示すように、賞球払出し装置２１が固定されている。この賞球払出し装置２１はパルスモータを有するものであり、遊技球が始動口１５内に入賞した場合および特別入賞口１８内に入賞した場合のそれぞれにはパルスモータの回転軸が回転操作されることで上皿８内に一定個数の遊技球が賞品として払出され、上皿８内から遊技球が溢れた場合には当該遊技球が下皿４内に供給される。
【００１７】
遊技板９の後方には、図２に示すように、パルスモータ２２が固定されている。このパルスモータ２２は前後方向へ延びる回転軸を有するものであり、パルスモータ２２の回転軸にはギア機構を介して装飾部材２３が連結されている。この装飾部材２３は遊技者が窓枠６の透明な窓７および透明な遊技板９を通して視認可能な不透明なものであり、図柄表示器１７の左斜め下側に配置されている。
【００１８】
装飾部材２３は、図３に示すように、パルスモータ２２が回転操作されることに応じて演出停止状態および演出状態間で前後方向へ延びる軸２４を中心に回転操作されるものである。図３の（ａ）は装飾部材２３を演出停止状態で示すものであり、装飾部材２３の演出停止状態では装飾部材２３が左斜め上側へ指向する。図３の（ｂ）は装飾部材２３を演出状態で示すものであり、装飾部材２３の演出状態では装飾部材２３が右斜め上側へ指向する。即ち、装飾部材２３は遊技板９の後方で遊技板９に沿う方向へ移動可能にされたものである。
【００１９】
装飾部材２３は図柄遊技の映像でリーチ状態が発生した場合に予め決められた確率で演出停止状態から演出状態とされるものである。この装飾部材２３は人の手を模した平板状をなすものであり、遊技者の目線では装飾部材２３が演出停止状態から演出状態となることで図柄表示器１７が手指で指された印象となる。このリーチ状態とは中列の図柄要素が停止表示される前の左列の図柄要素および右列の図柄要素が相互に同一な組合せであり、装飾部材２３は中列の図柄要素がリーチ状態で停止表示されることに応じて演出状態から演出停止状態に戻される。この装飾部材２３は３列の図柄要素が大当りの組合せとなる場合には大当りの組合せとならない場合に比べて高確率で演出停止状態から演出状態とされるものであり、遊技者の目線では装飾部材２３が演出状態となることに応じて３列の図柄要素が大当りの組合せとなることに対する期待感が高まる。
【００２０】
遊技板９には、図２に示すように、入賞口ユニット３０が固定されている。この入賞口ユニット３０は遊技球が入賞可能なものであり、遊技球が入賞口ユニット３０に入賞した場合には賞球払出し装置２１から上皿８内に一定個数の遊技球が賞品として払出される。以下、入賞口ユニット３０について説明する。
【００２１】
遊技板９には、図４に示すように、遊技領域１４内に位置して貫通孔３１が形成されている。この貫通孔３１は図柄表示器１７の左斜め下側に位置するものであり、貫通孔３１内には前樋分割部材３２が固定されている。この前樋分割部材３２は透明な合成樹脂を材料とするものであり、前ケース３３および前板３４を有している。前板３４は遊技板９の前面に前から接触する平板状をなすものであり、前樋分割部材３２は前から前板３４を通して遊技板９に複数のネジを締め込むことで固定されている。前ケース３３は前板３４の後面から後へ突出する筒状をなすものであり、前ケース３３の前面は前板３４で塞がれている。この前ケース３３は後面が開口するものであり、貫通孔３１内に挿入されている。
【００２２】
前樋分割部材３２には、図４に示すように、後樋分割部材３５が固定されている。この後樋分割部材３５は透明な合成樹脂を材料とするものであり、後ケース３６および後板３７を有している。後板３７は遊技板９に沿う平板状をなすものであり、後ケース３６は後板３７の前面から前へ突出する筒状をなすものである。この後ケース３６は後面が後板３７で塞がれたものであり、前面が開口している。この後ケース３６は貫通孔３１内に挿入されたものであり、後樋分割部材３５は後ケース３６の前端面を前ケース３３の後端面に接合することで前樋分割部材３２に固定されている。
【００２３】
後樋分割部材３５は、図４に示すように、前樋分割部材３２と共に排出樋３８を構成するものであり、排出樋３８は遊技板９の貫通孔３１内に挿入されている。この排出樋３８は排出室３９を有している。この排出室３９は前樋分割部材３２の前ケース３３と前樋分割部材３２の前板３４と後樋分割部材３５の後ケース３６と後樋分割部材３５の後板３７で囲まれた空間を称するものであり、排出室３９の前後方向の幅寸法は１個の遊技球が転動可能な大きさに設定されている。
【００２４】
前樋分割部材３２の前板３４には、図３に示すように、入賞口台４０が固定されている。この入賞口台４０は合成樹脂を材料とするものであり、入賞口４１および飾り板４２を有している。入賞口４１は前板３４の前面から前へ突出するものであり、遊技板９の前面に対しても前へ突出している。この入賞口４０は底壁と左側壁と右側壁を有している。底壁は左右方向の中央部が最も低所となる円弧板状をなすものであり、左側壁は底壁の左端から上へ延びる板状をなし、右側壁は底壁の右端から上へ延びる板状をなしている。この入賞口４１は前から見た場合に上に向けて開口するＵ字状をなすものであり、前面と後面と上面が開口する樋状をなしている。
【００２５】
飾り板４２は、図４に示すように、入賞口４１の前端面に位置するものである。この飾り板４２は遊技板９の前面に沿う平板状をなすものであり、入賞口４１の前面を遊技球が入賞不能に塞いでいる。この入賞口４１の左側壁および右側壁間の隙間寸法Ｗ１（図３参照）は１個の遊技球が通過可能な大きさに設定されており、遊技板９の遊技領域１４内を転動する遊技球は入賞口４１の左側壁および右側壁間の隙間を通して入賞口４１内に入賞可能にされている。
【００２６】
入賞口４１の底壁には、図４に示すように、前から後に向けて下降する傾斜面４３が形成されており、遊技球が入賞口４１内に入賞した場合には入賞口４１の傾斜面４３に沿って前から後へ転動する。この入賞口４１は、図３に示すように、前から見て装飾部材２３の演出停止状態で装飾部材２３が後方から重なるものであり（ａ参照）、装飾部材２３は演出状態で入賞口４１の後方から外れる（ｂ参照）。図３の二点鎖線Ｅは装飾部材２３が演出停止状態および演出状態間で回転操作される場合の装飾部材２３の動作領域であり、入賞口４１は前から見て装飾部材２３の動作領域Ｅ内に配置されている。
【００２７】
前樋分割部材３２の前板３４には、図４に示すように、貫通孔４４が形成されている。この貫通孔４４は円形状をなすものであり、１個の遊技球が通過可能な大きさに設定されている。この貫通孔４４は入賞口４１の傾斜面４３に沿って転動する遊技球を排出樋３８の排出室３９内に進入させるものであり、排出室３９内に進入した遊技球は排出室３９内を落下する。
【００２８】
排出樋３８には、図３に示すように、レール面４５が形成されている。このレール面４５は前ケース３３の内面および後ケース３６の内面から構成されたものであり、排出室３９内に位置している。このレール面４５は全部が遊技板９の厚み内に納められたものであり（図４参照）、レール面４５の前後方向の幅寸法は１個の遊技球が転動可能な大きさに設定されている。このレール面４５は入賞口４０の鉛直下方を起点に右へ向かうことに応じて下降する湾曲形状をなすものであり、入賞口４０から排出室３９内に落下した遊技球はレール面４５に着地し、レール面４５に着地した遊技球はレール面４５に沿って左から右へ転動する。
【００２９】
排出樋３８には、図３に示すように、排出室３９内に位置して絞り面４６が形成されている。この絞り面４６は前ケース３３の内面および後ケース３６の内面から構成されたものであり、円弧状をなしている。この絞り面４６からレール面４５までの最短距離Ｌ１は遊技球の直径寸法の１倍以上で２倍未満に設定されており、絞り面４６は絞り面４６およびレール面４５間に複数個の遊技球が挟まる球詰りの発生を防止する。
【００３０】
排出樋３８には、図３に示すように、排出室３９内に位置して凹面４７が形成されている。この凹面４７は前ケース３３の内面および後ケース３６の内面から構成されたものであり、左壁部と右壁部と底壁部を有している。底壁部は前から見て左右方向の中央部が最も低所に位置する円弧面状をなすものである。右壁部は底壁部の右端から上へ延びる平面状をなすものであり、左壁部は底壁部の左端から上へ延びる平面状をなすものであり、右壁部および左壁部間の隙間寸法Ｗ２は１個の遊技球が通過可能な大きさに設定されている。この左壁部の上端はレール面４５の終端である右端に接続されたものであり、レール面４５に沿って転動する遊技球はレール面４５の終端から凹面４７内に落下する。
【００３１】
凹面４７の右壁部は、図３に示すように、左壁部に比べて高さ寸法が大きく設定されたものであり、右壁部の上端は左壁部の上端に比べて上に位置している。図３の符号４８は右壁部のうち右壁部の上端および左壁部の上端間に相当する段差であり、段差４８の高さ寸法は遊技球の直径寸法の１倍以上に設定されている。この段差４８は遊技球を衝突させるために設定されたものであり、複数の遊技球が連なってレール面４５を転動する場合に流れの先頭の遊技球から順に段差４８に衝突して１個毎に凹面４７内に落下する。従って、凹面４７の左壁部および右壁部間の隙間に複数の遊技球が同時に進入し難くなるので、左壁部および右壁部間の隙間に複数の遊技球が挟まる球詰りの発生が防止される。
【００３２】
排出樋３８には、図４に示すように、後樋分割部材３５の後板３７に位置して排出口４９が形成されている。この排出口４９は１個の遊技球が通過可能な大きさの円形状の貫通孔からなるものであり、前から見て凹面４７内に位置している（図３参照）。この凹面４７の底壁部は前から後に向けて下降する傾斜状をなしており、レール面４５から凹面４７内に落下した遊技球は凹面４７の傾斜に沿って前から後へ転動することに応じて排出口４９から排出樋３８の外部へ排出される。この排出口４９は裏樋を介してパチンコホールの島設備に接続されており、排出口４９から排出された遊技球は裏樋を通してパチンコホールの島設備に供給される。
【００３３】
排出樋３８には、図４に示すように、入賞口センサ５０が固定されている。この入賞口センサ５０は近接スイッチからなるものであり、後樋分割部材３５の後板３７に配置されている。この入賞口センサ５０は遊技球が排出口４９から排出される場合に当該遊技球を検出して入賞信号を出力するものであり、賞球払出し装置２１は入賞口センサ５０から入賞信号が出力されることに応じて上皿８内に一定個数の遊技球を払出す。
【００３４】
上記実施例１によれば次の効果を奏する。
遊技球が入賞口４１に入賞した場合には排出樋３８内に進入する。この遊技球が排出樋３８内に進入した場合には排出樋３８のレール面４５に沿って左から右へ転動し、遊技球がレール面４５に沿って転動した場合には排出樋３８の排出口４９から排出樋３８の外部に排出される。このレール面４５は全部が遊技板９の厚み内に納められたものであり、遊技板９の厚さを利用して遊技球の転動スペースが確保されている。従って、排出樋３８の遊技板９に対する後への出張り量が小さく抑えられるので、入賞口４１が前から見て装飾部材２３の動作領域Ｅ内に重ねられているにも拘らず装飾部材２３の配置の自由度が高まる。
【００３５】
前樋分割部材３２の前ケース３３と前樋分割部材３２の前板３４と後樋分割部材３５の後ケース３６と後樋分割部材３５の後板３７のそれぞれを透光性のものとしたので、装飾部材２３の演出停止状態および演出状態のそれぞれで装飾部材２３の全領域が前から視認可能となる。
【００３６】
上記実施例１においては、前樋分割部材３２の前ケース３３と前樋分割部材３２の前板３４と後樋分割部材３５の後ケース３６と後樋分割部材３５の後板３７のそれぞれを有色不透明なものとし、装飾部材２３の演出停止状態で装飾部材２３の全領域を前樋分割部材３２の前ケース３３〜後樋分割部材３５の後板３７で前方から視認不能に隠し、装飾部材２３の演出状態で装飾部材２３の一部領域または全領域を前樋分割部材３２の前ケース３３〜後樋分割部材３５の後板３７の後方から外すことで装飾部材２３を視認可能としても良い。
【００３７】
上記実施例１においては、排出樋３８の右端部に入賞口台４０を固定しても良い。この場合には排出樋３８内に右から左に向けて下降するレール面を設け、遊技球をレール面に沿って右から左へ転動させることに応じて排出樋の排出口から排出すると良い。
【００３８】
上記実施例１においては、排出樋３８の上端部に入賞口台４０を固定しても良い。この場合には排出樋３８内に上から下に向けて左右方向の間隔寸法が狭まる２つのレール面を設け、遊技球を両レール面に沿って上から下へ転動させることに応じて排出樋の排出口から排出すると良い。
【００３９】
上記実施例１においては、排出樋３８内に右から左または左から右に向けて下降する階段状のレール面を設けても良い。この場合にはレール面の各ステップをステージ状に設定し、遊技球をステージに沿って左右方向へ揺らしながら右から左または左から右に向けて転動させても良い。
【００４０】
上記実施例１においては、排出樋３８のレール面４５の一部を遊技板９の厚み内に納め、レール面４５のうち当該一部を除いた残りの部分を遊技板９の後面に対して後方に突出させても良い。
【００４１】
上記実施例１においては、装飾部材２３を上下方向または左右方向または前後方向へ移動可能に設けても良く、要は装飾部材２３を動作可能に設ければ良い。
上記実施例１においては、入賞口４１を装飾部材２３の演出状態で装飾部材２３の前に重ねても良い。
【００４２】
上記実施例１においては、入賞口４１を装飾部材２３の演出停止状態および演出状態間の移動途中状態で装飾部材２３の前に重ねても良い。
上記実施例１においては、装飾部材２３の演出状態または演出停止状態または移動途中状態で装飾部材２３の全領域を排出樋３８の内部領域の後に重ねても良い。この内部領域は前樋分割部材３２の前ケース３３の内周面および後樋分割部材３５の後ケース３６の内周面に比べて内側の領域であり、装飾部材２３の全領域を排出樋３８の内部領域の後に重ねた場合には遊技者の目線で装飾部材２３が前ケース３３および後ケース３６の影響で見難くなることを回避できる。
【符号の説明】
【００４３】
Ｅは動作領域、９は遊技板、２３は装飾部材（可動部材）、３１は貫通孔、３８は排出樋（球排出ケース）、４１は入賞口（入球口）、４５はレール面（転動面）、４９は排出口である。
【図１】
2015144711.tif 000003
【図２】
2015144711.tif 000004
【図３】
2015144711.tif 000005
【図４】
2015144711.tif 000006